(57)【特許請求の範囲】
【請求項１】
ガス導管に接続され、ガス導管からの天然ガスを氷粒が形成された冷水中に供給してハイドレートを生成すると共にこれを貯留する天然ガス貯蔵用ハイドレートタンクと、貯留されたハイドレートを導入して天然ガスと水に分離して天然ガスを消費系に供給する分離器と、ハイドレート分解温度より凝固点の高い加熱用媒体が収容され、天然ガス貯蔵用ハイドレートタンクから分離器にいたるハイドレートを上記加熱用媒体で加熱して冷熱回収し、その冷熱回収で凝固した加熱用媒体を、天然ガスのハイドレート生成時の冷熱源として貯留する蓄熱器とを備えたことを特徴とする天然ガスのハイドレートによるガス貯蔵設備。
【請求項２】
蓄熱器は、天然ガスのハイドレート分解温度より凝固点の高い加熱用媒体が、凝固媒体として下部に、その液媒体が上部に比重差で収容され、天然ガス貯蔵用ハイドレートタンクから分離器にいたるハイドレートを上記液媒体で加熱すると共に加熱により凝固した凝固媒体を貯留し、この凝固媒体を、天然ガスのハイドレート生成時の冷熱源として用いる請求項１記載の天然ガスのハイドレートによるガス貯蔵設備。
【請求項３】
天然ガス貯蔵用ハイドレートタンクは、冷却用の熱交換器を有し、その熱交換器が、蒸発側熱交換器としてヒートポンプサイクルに組み込まれると共にそのヒートポンプサイクルの凝縮側熱交換器に蓄熱器が組み込まれて、蓄熱器の冷熱源が凝縮側熱交換器に供給される請求項１又は２記載の天然ガスのハイドレートによるガス貯蔵設備。
【発明の詳細な説明】
【０００１】
【発明の属する技術分野】
本発明は、天然ガスをハイドレートとして貯蔵すると共に蓄冷する天然ガスのハイドレートによるガス貯蔵設備に関するものである。
【０００２】
【従来の技術】
遠距離輸送用都市ガス導管或は、地域の消費者に都市ガスを供給する主配管に沿って、都市ガスを安価に安定して供給するために、天然ガスの貯蔵基地を設置するのが一般的である。
【０００３】
この例として、前者では米国に多く建設されているピークシェービング用ＬＮＧ基地がその代表例である。これは季節の差でガス需要が非常に異なり、需要の多い季節（冬期）には導管で多量に需要地迄送らなければならなく、一方需要の少ない季節（夏期）には導管は低負荷で使用されることになる。
【０００４】
このように、変動するガス需要の最高に合致した長距離配管を設置することは、非常にコスト高の原因になる。
【０００５】
このため、図３に示すように、需要の少ない季節に遊びの多い高圧都市ガス導管（幹線）１０を利用して、需要地域に近い場所に一時体積の小さいＬＮＧタンク１１を設置し、需要の少ない季節に液化装置１２で導管からの天然ガスを液化してＬＮＧとしてＬＮＧタンク１１に貯蔵し、需要か多くなる季節に、ＬＮＧタンク１１内のＬＮＧをポンプ１３にて気化器１４を通してガス化して、これを都市ガス分配配管網１５に供給して、需要のピークに対処している。このように、長距離配管の有効利用を図ることにより、配管の建設投資を節約して、ガスコストの低減を行っている。
【０００６】
一方、地域に都市ガスを安定供給を図ると共に、ピークシェービング用基地と同じように、ガス需要の少ない夜間に供給幹線を有効に利用するために、需要地域の近傍に図２に示すようにガスホルダ１６を設置しているのが一般的である。
【０００７】
図２において、１６は、需要地に設置された球形、円筒形に形成されたガスホルダで、高圧都市ガス導管１０に開閉バルブ１７と圧力制御弁１８を介して１〜２ｋｇ／ｃｍ2 Ｇの中間圧力ガス供給管２２に供給したり、その中間ガス供給管２０より減圧弁２３を介して一般家庭用等の低圧ガス供給管２４に供給したりしている。またこの中間ガス供給管２４にバルブ２５を介して有水槽ガスホルダー２６が接続され、そのガスホルダー２６に貯蔵された都市ガスが、減圧弁２３を介して低圧ガス供給管２４に供給するようにされる。
【０００８】
【発明が解決しようとする課題】
しかしながら、図３に示したＬＮＧのピークシェービング基地では、天然ガスの液化のために単位重量当り消費されるエネルギー（電気、ｅｔｃ）が非常に大きくなる（液化装置：大型＝約４００Ｗｈ／ｋｇ，小型＝９００Ｗｈ／ｋｇ）。又、貯蔵液体が非常に低温（約−１６０℃）のため、貯蔵容器に使用する金属材料もステンレス，Ａｌ或いは９％Ｎｉ鋼等と高価なものとなる。容器も高い断熱性能を有する構造となり、コストアップの原因となっている。
【０００９】
また、貯蔵容器は漏れた場合に液の拡散を防止し、気化ガスの量を抑制して、危険範囲を狭くするために、法規で容器を防液提で囲むことが義務づけられている。このため、設備の建設敷地も比較的広く必要とする。
【００１０】
図２に示した消費地近傍に設置されるガスホルダー１６は、通常約１０ｋｇ／ｃｍ2 Ｇでガス状での貯蔵のため、単位容積当りの貯蔵密度が低いので、単位エネルギー当りの容積が大きくなり、比較的広い建設敷地を必要とする。又、期待される機能の点からガスホルダは市街地城或いは近傍に設置されるため、危険性から設置場所の選定が非常に難しい状況にある。
【００１１】
そこで、本発明の目的は、上記課題を解決し、これらピークシェービング用ＬＮＧ貯蔵設備或は消費地域近傍に設置されるガスホルダ等の問題点について、解決するもので、設置面積が少なく、しかも天然ガスを安全に貯蔵できると共に電気等のエネルギー消費を少なくできる天然ガスのハイドレートによるガス貯蔵設備を提供することにある。
【００１２】
【課題を解決するための手段】
上記の目的を達成するために、請求項１の発明は、ガス導管に接続され、ガス導管からの天然ガスを氷粒が形成された冷水中に供給してハイドレートを生成すると共にこれを貯留する天然ガス貯蔵用ハイドレートタンクと、貯留されたハイドレートを導入して天然ガスと水に分離して天然ガスを消費系に供給する分離器と、ハイドレート分解温度より凝固点の高い加熱用媒体が収容され、天然ガス貯蔵用ハイドレートタンクから分離器にいたるハイドレートを上記加熱用媒体で加熱して冷熱回収し、その冷熱回収で凝固した加熱用媒体を、天然ガスのハイドレート生成時の冷熱源として貯留する蓄熱器とを備えた天然ガスのハイドレートによるガス貯蔵設備である。
【００１３】
請求項２の発明は、蓄熱器は、天然ガスのハイドレート分解温度より凝固点の高い加熱用媒体が、凝固媒体として下部に、その液媒体が上部に比重差で収容され、天然ガス貯蔵用ハイドレートタンクから分離器にいたるハイドレートを上記液媒体で加熱すると共に加熱により凝固した凝固媒体を貯留し、この凝固媒体を、天然ガスのハイドレート生成時の冷熱源として用いる請求項１記載の天然ガスのハイドレートによるガス貯蔵設備である。
【００１４】
請求項３の発明は、天然ガス貯蔵用ハイドレートタンクは、冷却用の熱交換器を有し、その熱交換器が、蒸発側熱交換器としてヒートポンプサイクルに組み込まれると共にそのヒートポンプサイクルの凝縮側熱交換器に蓄熱器が組み込まれて、蓄熱器の冷熱源が凝縮側熱交換器に供給される請求項１又は２記載の天然ガスのハイドレートによるガス貯蔵設備である。
【００１５】
以上において、メタンを主成分とし、エタン、プロパン成分が混合している天然ガスが、圧力と温度条件が整えば水と結合してハイドレート（水和物）を作ることが知られている。その時のハイドレート中の炭化水素分子と水の結合割合はモル数及び重量比で次の通りである。
【００１６】
0003992774.tif 000002
これらの成分から構成されるハイドレートは、温度が低ければ低いほどその平衡圧力は低くなる。例えば、メタン成分が９０モル％の場合、２７３Ｋでの平衡圧力は約１ＭＰａ以下となり、その時ハイドレート中の天然ガス含有量は約１３．６重量％である。この時のハイドレートの比重は１．０３〜１．０４である。従って、単位体積当りの天然ガス貯蔵量は１４０ｋｇ／ｍ3 となる。
【００１７】
これらの特性をべースにＬＮＧ貯蔵量１０００トン、液化量１００トン／Ｄの条件で各基地の特性を概略比較すると次のようになる。
【００１８】
ＬＮＧ液化貯蔵（ピークシェービング）基地、蓄冷型ＬＮＧ液化貯蔵（ピークシェービング）基地、ガスホルダ基地、ＬＮＧサテライト基地、ハイドレート貯蔵基地について比較する。
【００１９】
ＬＮＧ液化基地を１００として割合で示す。
【００２０】
0003992774.tif 000003
ハイドレートは多量の水分を保持し、分解燃焼時には水が遊離し、燃焼熱を水の蒸発熱で奪うためとハイドレートの分解熱も比較的高い（１８０Ｋｃａｌ／ｋｇ：ＮＧ）ことにより、激しい燃焼にはならない。
【００２１】
これらの性質を利用して天然ガスをハイドレートとして貯蔵することで、危険性が少なく、しかも低コストで貯蔵が行える。さらにこのハイドレートを利用した蓄熱器を用いることで、熱回収が有効に行える。
【００２２】
【発明の実施の形態】
以下、本発明の好適一実施の形態を添付図面に基づいて詳述する。
【００２３】
図１は、本発明の蓄熱器を備えた天然ガスのハイドレートによるガス貯蔵設備を示し、基本的には天然ガスのガス導管３０からの天然ガスを導入し、これを水と結合させてハイドレートｈとすると共にこれを貯蔵する天然ガス貯蔵用ハイドレートタンク３２と、起動時など、ハイドレートタンク３２の熱交換器３３に冷媒を供給して冷却するための冷凍機３４と、天然ガス貯蔵用ハイドレートタンク３２内に貯蔵されたハイドレートｈを使用時に導入して、水と天然ガスに分離して天然ガスＮＧを消費系ライン３５に供給する分離器３６と、その分離時にハイドレートｈを加熱すると共に冷熱を冷熱用ハイドレートｋとして貯留する蓄熱器３８と、蓄熱器３８と天然ガス貯蔵用ハイドレートタンク３２の熱交換器３３とを結び蓄熱器３８の冷熱を天然ガス貯蔵用ハイドレートタンク３２に戻すヒートポンプサイクル４０とから構成される。
【００２４】
次に、これらの構成を詳細に説明する。
【００２５】
天然ガス貯蔵用ハイドレートタンク３２は、内部に冷水ｗが貯留された容器４１からなり、その冷水ｗの水面上に冷凍機３４に組み込まれた熱交換器３３が設けられ、その熱交換器３３の上部に冷水ｗの噴射管４２が設けられ、冷水ｗの水面下に天然ガスのガス導管３０と接続されたガス分散管４３が設けられて構成される。
【００２６】
ハイドレートタンク３２には、容器４１内の冷水を、ポンプ４５にて抜き取ると共に噴射管４２から噴射する冷水循環手段４６が接続される。この冷水循環手段４６は、容器４１の略中央と下部に接続された冷水抜き取りライン４７，４８と、そのライン４７，４８に接続されたポンプ４５と、そのポンプ４５の吐出側と噴射管４２とを結ぶ戻しライン５０とからなる。
【００２７】
ガス分散管４３は、導入ライン５１に接続され、その導入ライン５１が、ガス導管３０と減圧弁５２を介して接続される。
【００２８】
この導入ライン５１には、容器４１内の冷水を抜き取ると共に天然ガスと共に冷水ｗをガス噴射管４３から噴射する冷水噴射手段５３が接続される。この冷水噴射手段５３は、その吸込側が容器４１内の水面近くの冷水を抜き取るべく容器４１に接続され、他端が導入ライン５１に接続された冷水噴射ライン５４と、そのライン５４に接続されたポンプ５５と、そのポンプ５５の吸込側と吐出側に接続されたバルブ５６，５７とからなっている。
【００２９】
冷凍機３４は、熱交換器３３からの戻り側接続配管５８を介して接続された圧縮機６０と、その圧縮機６０の吐出側に接続された凝縮器６１と、凝縮器６１からの凝縮液を貯留するリキッドタンク６２と、そのリキッドタンク６２に接続された減圧弁６３からなり、減圧弁６３が、送り側接続配管６４を介して熱交換器３３に接続されて冷凍サイクルが形成される。この冷凍機３４の冷媒は、プロパン等が用いられ、圧縮機６０で圧縮された高温高圧の冷媒が、凝縮器６１に流れ、そこで凝縮した後、リキッドタンク６２に貯留され、減圧弁６３で減圧され、送り側接続配管６４を介して熱交換器３３に流れ、そこで０℃以下（−５〜−１０℃）で蒸発して戻り側接続配管５８を介して圧縮機６０に戻るようになっている。
【００３０】
熱交換器３３の冷媒送り側接続配管６４より分岐し、容器４１内の底部を冷却すると共に熱交換器３３に戻す冷却ライン６５が接続される。
【００３１】
ハイドレートタンク３２の容器４１の頂部には未反応の天然ガスを圧縮機６６で昇圧して導入ライン５１に戻すオフガスライン６７が接続される。
【００３２】
容器４１の底部には生成したハイドレートｈを抜き取って分離器３６に導入するための抜き取りライン７０が接続される。この抜き取りライン７０には、バルブ７１とスラリーポンプ７２が接続され、その吐出側に、分離器３６で分離された水とハイドレートと熱交換する第１熱交換器７３と蓄熱器３８に組み込まれた第２熱交換器７４が接続され、さらに補助熱交換器７５が接続される。
【００３３】
また抜き取りライン７０の吐出側は、バルブ７６を介して冷水噴射ライン５４に接続される。
【００３４】
分離器３６内で分離された天然ガスは、その頂部に接続した消費系ライン３５に供給され、水は、底部に接続した水回収ライン７８より、第１熱交換器７３を通し、冷水循環手段４６の戻しライン５０を介して噴射管４２より容器４１に戻される。
【００３５】
蓄熱器３８は、その容器８０内に、天然ガスのハイドレート分解温度（７℃）より凝固点の高いパラキシレン（凝固点１３℃）等の加熱用媒体８４が収容され、上部に液媒体８１が下部に凝固媒体８３が、比重差により分離して貯留される。
【００３６】
容器８０には、加熱用媒体８４の液媒体８１，凝固媒体８３をそれぞれ抜き出す抜き出しライン８５，８７が接続される。液媒体８１のライン８５には、バルブ８８を介して抜き取りポンプ８９に接続され、凝固体溶液８３のライン８７には、バルブ９０を介して抜き取りポンプ９１が接続される。ライン８５は、二股に分岐され、その一方がバルブ９２を介して凝固体溶液８３側の抜き取りポンプ９１に接続される。
【００３７】
これら抜き取りポンプ８９，９１の吐出側には制御弁９５，９６が接続され、それら制御弁９５，９６が三方切換弁９８に接続される。
【００３８】
蓄熱器３８には、この抜き取りポンプ８９，９１、制御弁９５，９６、三方切換弁９８を通り、第二熱交換器７４を通って容器８０に戻る加熱・蓄熱ライン１００が接続されると共に、三方切換弁９８よりヒートポンプサイクル４０の凝縮器１０２を通って容器８０に戻る蓄熱利用ライン１０４とが接続される。
【００３９】
蓄熱器３８の容器８０内の上部の気相には、ダイヤフラム１０５が設けられ、気相に窒素ガス等が封入されていて、容器８０内の液体、気体の膨張，収縮による圧力変化をダイヤフラム１０５で防止している。ダイヤフラム１０５内は約１ａｔｍに保持する。容器８０には、ブリザバルブ１０６と窒素ガスの充填ノズル１０７が設けられている。
【００４０】
ヒートポンプサイクル４０は、戻り側接続配管５８に吸入圧制御弁１１０を介して接続された圧縮機１１１と、その圧縮機１１１の吐出側に接続された凝縮器１０２と、リキッドタンク１１２と、そのリキッドタンク１１２の冷媒出口と戻り側接続配管５８とを結ぶ膨張弁１１３と、天然ガス貯蔵用ハイドレートタンク３２の熱交換器３３とで構成される。
【００４１】
このヒートポンプサイクル４０の冷媒の流れは、熱交換器３３からの蒸発冷媒ガスが、戻り側接続配管５８を介し、吸入圧制御弁１１０で、吸込圧力が制御されて、圧縮機１１１に導入され、そこで高温高圧に圧縮され、凝縮器１０２に流れ、そこで蓄熱器８の加熱用媒体８４と熱交換して凝縮し、凝縮液がリキッドタンク１１２に貯留されると共に膨張弁１１３で減圧されて熱交換器３３に流れ、そこで、噴射管３４から噴射される水と熱交換して蒸発して吸入圧制御弁１１０を介して圧縮機１１１に戻る流れとなる。
【００４２】
また熱交換器３３の出口側には温度コントローラ１１５が設けられ、そのコントローラ１１５の圧縮機１１１の蒸発ガス吸込温度が所定温度となるよう膨張弁１１３での弁開度（減圧比）が制御され、同時に接続配管５８に接続した圧力コントローラ１１６で、吸入圧制御弁１１０の弁開度が制御されて、吸込圧力が制御されるようなっている。
【００４３】
次に、天然ガスをハイドレートとして貯蔵する操作を説明する。
【００４４】
先ず、最初の起動は次のように行う。
【００４５】
ハイドレートタンク３２の容器４１に水を、内蔵されている熱交換器３３より低いレベル迄充填する。次に、ポンプ４５を起動し容器４１内の水を噴射管４２より熱交換器３３の上部から散水する。散水開始後、圧縮機６０、凝縮器６１、リキッドタンク６２、減圧弁６３等で構成されている冷凍機３４を起動させ、冷媒（例：プロパン）を接続配管６４を通じて熱交換器３３に導入する。
【００４６】
熱交換器３３はパネル状の熱交換器で、パネル内に配列されているチューブ側に冷媒が入り、直立しているパネル表面上を散水された水が流下する。チューブ内では０℃以下（−５〜−１０℃）の温度で冷媒が蒸発し、パネル表面の水は冷媒の蒸発熱により冷却され氷結する。
【００４７】
パネル表面には、氷が付着しないように氷の剥離剤がコーティング（或は剥離性のある材質を使用）してあるので、氷がパネル表面から容器４１内の水面上に自重で落下し推積する（ハーベスト型製氷機）。但し、氷が容器４１の水面上に蓄積できる構造であれば、本構造の熱交に限定しなくても良い。又、容器４１とは別個にして氷を容器４１に呼び込んでも良い。或る程度容器４１内の水面上に氷が推積し、容器４１下部の水温が約０℃になった時点で、高圧都市ガス導管３０から都市ガス（天然ガス）を導入ライン５１を介し、容器４１下部の水中にガス分散管４３を通して導入する。
【００４８】
水中に分散されたガスは、約０℃に冷却された水と反応してハイドレートを作る。この反応は発熱反応で、天然ガスの場合、約１８０Ｋｃａｌ／ｋｇであるため、水温を上昇させようとするが、水中に浮遊混在している氷によって冷却（氷の融解熱：約８０Ｋｃａｌ／ｋｇ）されるので、約０℃に平衡した圧力（０．９ＭＰａ）でハイドレートｈが生成される。生成されたハイドレートｈは前述したように、水ｗよりも比重が重いため、水中を沈下し容器４１下部に推積する。
【００４９】
従つて、圧縮機６０側の冷凍機３４で、前もって製造したい量のハイドレートの生成熱に相当した熱量以上の氷を容器４１内に製造しておけば、ハイドレート（圧力：０．９ＭＰａ）を製造することが出来る。
【００５０】
冷凍機３４での氷の製造は、電力料金の安い夜間に行い蓄冷するのが経済的に有利である。
【００５１】
容器４１から払い出されるハイドレートｈと冷水ｗの混合物を、第１熱交換器７３を介し第２熱交換器７４で加熱しハイドレートを分解する場合に、熱源として蓄熱器３８に貯蔵されている、パラキシレン等の液媒体８１の凝固熱（パラキシレンの場合、３８．５Ｋｃａｌ／ｋｇ）を利用する。
【００５２】
例えば、２．１ＭＰａＡ（ａｔａ）における天然ガスのハイドレートｈの分解温度は、約７℃である。パラキシレンを液媒体８１に用いた場合、その凝固点は、約１３℃である。
【００５３】
従つて、液媒体８１の凝固点を、ハイドレートｈの分解温度と適切な温度差がとれるような加熱用媒体８４（蓄冷剤）を選定することにより発生した熱量を、熱交換し得る伝熱面積を持った第２熱交換器７４により、天然ガスのハイドレートの分解吸熱により、液媒体８１は熱を奪われて凝固し、凝固媒体８３となる。
【００５４】
この凝固媒体８３は蓄熱器３８の容器８０に送られて貯蔵される。この場合に、液媒体８１の全体が凝固すると流動性がなくなるので、全体が凝固しないよう十分な量の液媒体８１を流すことにより凝固が発生した後も流動のための潤滑性が得られる。
【００５５】
天然ガスハイドレートｈの分解熱は１８０Ｋｃａｌ／ｋｇで、パラキシレン（液媒体８１）のそれは３８．５Ｋｃａｌ／ｋｇであるので、両流体の流量比（重量比）の関係は、
１８０×ＷC1  ＝３８．５×Ｗp   →  ＷC1／Ｗp ＝０．２１４
となる。
【００５６】
両流体の重量比ＷR ＝（天然ガスハイドレート）／（パラキシレン 凝固体）は、
ＷR ＝  ６．３２  ＷC1／Ｗp ＝１．３５
となる。
【００５７】
これらの比率よりパラキシレンの流量を多少多く流すことにより、天然ガスハイドレートは熱的には完全に分解され、天然ガスと水になる。
【００５８】
液媒体８１を抜き出しライン８５より抜き取り、ポンプ８９で液媒体８１を吸入加圧して、ポンプ８９の吐出側で流量をコントロールして、三方切換弁９８により第２熱交換器７４に流す。
【００５９】
天然ガスハイドレートｈの分解は、昼間に行われるので、分解中はパラキシレンの凝固媒体８３は蓄熱器３８の容器８０の下部に推積（比重が重いため）される。
【００６０】
一方、ガス需要か少なく、導管３０に遊びの多い夜間に天然ガスハイドレートｈを製造することになる。
【００６１】
この時に容器４１での天然ガスハイドレート生成熱と、蓄熱器３８でのパラキシレンの凝固媒体８３の分解熱を、圧縮機１１１で構成されるヒートポンプシステム４０で結び、天然ガスハイドレートｈの生成に消費される電力の低減を図る。
【００６２】
この蓄熱によるヒートポンプサイクル４０の操作を夜間に行うことで、電気は夜間料金となるので、ランニングコストが非常にセーブ出来る有効なシステムである。
【００６３】
ヒートポンプサイクル４０によるシステムの運転は、次のように行う。
【００６４】
容器４１は、ハイドレートｈの払い出し分解により、上層の一部を除いては、分離器３６から返送された水でほとんど満たされている。
【００６５】
この水をポンプ５５（スラリーポンプ７２）により吸引し、分離器３６、第１熱交換器７３を経由して、熱交換器３３上に噴射管４２にて散水する。
【００６６】
次にヒートポンプサイクル４０のリキッドタンク１１２に貯蔵されている冷媒（例えばＣ3 ）液を、膨張弁１１３を通して熱交換器３３に導入し、熱交換器３３の伝熱チューブ内を流れる間に、散水液と熱交換し、散水液は氷結する。
【００６７】
また、冷媒は、熱交換器３３内で、蒸発するように圧縮機１１１の吸入量を吸入弁１１０（或はアンローダー弁、バイパス弁等）で制御する。
【００６８】
吸入弁１１０で、熱交換器３３内の圧力を所定の値に維持することにより、その圧力に平衡した冷媒の一定の蒸発温度を得る。例えば、蒸発温度を−５〜−１０℃に設定し、散水から０℃で氷結するように所定の熱量を熱交換し得る伝熱面積を熱交換器３３に備えれば、連続的に氷を容器４１内に蓄積することができる。
【００６９】
一方、圧縮機１１１で吸入され加圧された蒸発ガス冷媒は、凝縮器１０２に送られ、蓄熱器３８から送られて来る液媒体８１を含む凝固媒体８３と熱交換（冷却）して凝縮する。
【００７０】
凝縮器１０２で凝縮した冷媒はリキッドタンク１１２を通して再循環使用される。
【００７１】
冷却用の凝固媒体８３は、蓄熱器３８の容器８０の下部からポンプ９１で吸引加圧され、ライン８５，バルブ９２で吸引加圧された液媒体８１と混合（凝固媒体８３の量の２０ｗｔ％程度）して、凝縮器１０２に送られて圧縮機１１１の吐出側冷媒ガスを冷却する。冷却に使用された凝固媒体８３は液媒体８１になり、蓄熱利用ライン１０４にて蓄熱器３８に返送される。
【００７２】
蓄熱器３８内の加熱用媒体８４は、比重の差により、上層に液媒体８１、下部に凝固媒体８３が蓄蔵されている。
【００７３】
蓄熱器３８の気相圧力は、ハイドレートｈの分解熱で上昇する傾向になるので、ダイヤフラム１０５の伸縮により約１ａｔｍに容器８０内の圧力を制御する。
【００７４】
冷却に使用された加熱用媒体８４は、蓄熱器３８の容器８０内に貯蔵され、次の天然ガスハイドレートｈの出荷分解時の加熱源として、再使用される。
【００７５】
上述のように、天然ガスハイドレートタンク３２の容器４１内に製造し、蓄積された氷層の下部の水中に、天然ガスを吸き込むことにより、立上げ運転で述べたようにして、ハイドレートｈが生成される。この場合ガス導入ライン５１に、ポンプ４５により氷か混合した水を送入すると、更に効果的に生成熱を奪うことか出来て、効果的にハイドレートｈを生成することが出来る。
【００７６】
天然ガスハイドレートｈの製造には、圧縮機１１１により構成されるヒートポンプシステム４０で回収される冷熱量は、必要冷熱量の約８０％なので、圧縮機６０により構成される冷凍機３４により補充（約２０％）しなければならない。これら２つの装置は、接続配管５８，６４で共に接続され、同時に運転して熱交換器３３で製氷することができるシステムとなっている。従って、両装置共に電気料金の安い夜間に運転することができる。
【００７７】
ヒートポンプシステム４０、冷凍機３４による天然ガスハイドレートの製造運転は、それぞれの運転条件が整えば、個別運転及び同時運転も可能なシステムとなっている。
【００７８】
【発明の効果】
以上要するに本発明によれば、天然ガスをハイドレートとして貯蔵することで、危険性が少なく、しかも低コストで貯蔵が行える。さらにパラキシレン等の凝固熱を利用した蓄熱器を用いることで、熱回収が有効に行える。
【図面の簡単な説明】
【図１】本発明の一実施の形態を示す図である。
【図２】従来のＬＮＧピークシェービング基地を示す図である。
【図３】従来のガスホルダ基地を示す図である。
【符号の説明】
３０  天然ガス導管
３２  天然ガス貯蔵用ハイドレートタンク
３４  冷凍機
３６  分離器
３８  蓄熱器
４０  ヒートポンプサイクル
ｈ  ハイドレート
ｗ  冷水
【図１】
0003992774.tif 000004
【図２】
0003992774.tif 000005
【図３】
0003992774.tif 000006